(57)【特許請求の範囲】
【請求項１】
安全帯側に接続されるフック本体と、フック本体の一端側に設けられた繋止部を開閉する開閉部材とを備え、開閉部材を開放することによってフック本体の繋止部に足場側の繋止部材を繋止するようにした安全帯用フックにおいて、
前記開閉部材を繋止部の一端側に一回転以上回転可能に支持する支持機構と、
フック本体の長手方向に移動自在に設けられ、開閉部材の先端に係合することにより開閉部材を閉鎖状態に保持するロック部材と、
所定の回転方向においてのみロック部材と開閉部材との係合及び係合解除を許容する一方向可動機構と、
ロック部材に連結され、フック本体の他端側にフック本体の長手方向及び周方向にそれぞれ移動及び回動可能に設けられた操作部材とを備え、
操作部材を繋止部の反対側に向かってフック本体の長手方向に移動させることによりロック部材と開閉部材との係合が解除されるように構成するとともに、
操作部材を繋止部側に向かってフック本体の長手方向に移動させてフック本体の周方向所定位置まで回動することにより操作部材がフック本体の長手方向他方への移動を規制されるように構成した
ことを特徴とする安全帯用フック。
【請求項２】
前記支持機構を、開閉部材の通過を許容するように互いに間隔をおいて対向する一対の板状部分と、開閉部材の基端側を各板状部分に回動自在に支持する支軸とから構成した
ことを特徴とする請求項１記載の安全帯用フック。
【請求項３】
前記開閉部材を互いに回動自在に連結された基端部及び先端部から形成し、基端部と先端部とを互いに所定位置から所定方向のみの回動を規制されるように連結することによって前記一方向可動機構を構成した
ことを特徴とする請求項１または２記載の安全帯用フック。
【発明の詳細な説明】
【０００１】
【発明の属する技術分野】
本発明は建設現場等における高所作業者の転落を防止する安全帯に有用な安全帯用フックに関するものである。
【０００２】
【従来の技術】
従来、この種の安全帯用フックとしては、例えば実用新案登録第３０１０３９３号公報に記載されているように、安全帯側に接続されるフック本体と、フック本体の繋止部を開閉する開閉部材とを備え、開閉部材を開放して繋止部に足場側の繋止部材を繋止することにより、安全帯側と足場側とを連結するようにしたものが知られている。また、この安全帯用フックは開閉部材を閉鎖状態に保持するロック機構を備え、開閉部材の不用意な開放動作を防止している。
【０００３】
【発明が解決しようとする課題】
しかしながら、従来の安全帯用フックでは、フック本体の繋止部に足場側の繋止部材を繋止する際、ロック機構を解除操作した後、開閉部材を開放するといった二段階の操作を必要とするため、繋止時の操作が複雑になり、足場を移動することの多い作業者にとっては安全帯と足場側との着脱作業が極めて煩わしいものとなっていた。
【０００４】
本発明は前記問題点に鑑みてなされたものであり、その目的とするところは、安全帯側と足場側との着脱作業を容易に行うことのできる安全帯用フックを提供することにある。
【０００５】
【課題を解決するための手段】
本発明は前記目的を達成するために、請求項１では、安全帯側に接続されるフック本体と、フック本体の一端側に設けられた繋止部を開閉する開閉部材とを備え、開閉部材を開放することによってフック本体の繋止部に足場側の繋止部材を繋止するようにした安全帯用フックにおいて、前記開閉部材を繋止部の一端側に一回転以上回転可能に支持する支持機構と、フック本体の長手方向に移動自在に設けられ、開閉部材の先端に係合することにより開閉部材を閉鎖状態に保持するロック部材と、所定の回転方向においてのみロック部材と開閉部材との係合及び係合解除を許容する一方向可動機構と、ロック部材に連結され、フック本体の他端側にフック本体の長手方向及び周方向にそれぞれ移動及び回動可能に設けられた操作部材とを備え、操作部材を繋止部の反対側に向かってフック本体の長手方向に移動させることによりロック部材と開閉部材との係合が解除されるように構成するとともに、操作部材を繋止部側に向かってフック本体の長手方向に移動させてフック本体の周方向所定位置まで回動することにより操作部材がフック本体の長手方向他方への移動を規制されるように構成している。これにより、安全帯用フックを足場側の繋止部材に繋止する場合は、フック本体の開閉部材を繋止部材に当接させることにより、一方向可動機構によってロック部材と開閉部材との係合が解除され、開閉部材が回転してフック本体の繋止部が開放される。その結果、繋止部材がフック本体の繋止部内に収容されるとともに、開閉部材が一回転し、開閉部材の先端が一方向可動機構により再びロック部材に係合して繋止部が閉鎖される。また、安全帯用フックを足場側の繋止部材から取外す場合は、操作部材をフック本体の周方向に回動し、繋止部の反対側に向かってフック本体の長手方向に移動させることにより、ロック部材が開閉部材の先端から外れ、ロック部材と開閉部材との係合が解除されて繋止部が開放される。
【０００６】
また、請求項２では、請求項１記載の安全帯用フックにおいて、前記支持機構を、開閉部材の通過を許容するように互いに間隔をおいて対向する一対の板状部分と、開閉部材の基端側を各板状部分に回動自在に支持する支軸とから構成している。これにより、請求項１の作用に加え、開閉部材が各板状部分の間を通過することにより、開閉部材の一回転以上の回転が可能になることから、支持機構が簡単な構造によって構成される。
【０００７】
また、請求項３では、請求項１または２記載の安全帯用フックにおいて、前記開閉部材を互いに回動自在に連結された基端部及び先端部から形成し、基端部と先端部とを互いに所定位置から所定方向のみの回動を規制されるように連結することによって前記一方向可動機構を構成している。これにより、請求項１または２の作用に加え、基端部と先端部とを互いに所定方向に回動させることにより、ロック部材と開閉部材が互いに係合及び係合解除されることから、一方向可動機構が簡単な構造によって構成される。
【０００８】
【発明の実施の形態】
図１乃至図５は本発明の一実施形態を示すもので、図１は安全帯用フックの正面図、図２はその側面図、図３乃至図５はその動作説明図である。
【０００９】
この安全帯用フックは、安全帯側に接続されるフック本体１と、フック本体１に回動自在に取付けられた開閉部材２と、開閉部材２を閉鎖状態に保持するロック部材３と、ロック部材３を操作する操作部材４とから構成されている。
【００１０】
フック本体１は一端側に略Ｃ字状に湾曲した繋止部１ａを有し、フック本体１の他端には図示しない安全帯側のベルトが接続される接続リング１ｂが取付けられている。また、繋止部１ａの一端側及び他端側は、それぞれ互いに間隔をおいて対向する一対の板状部分１ｃによって形成されている。
【００１１】
開閉部材２は、繋止部１ａの一端側に回動自在に支持された基端部２ａと、基端部２ａに回動自在に支持された先端部２ｂとからなり、基端部２ａ及び先端部２ｂはそれぞれフック本体１の各板状部分１ｃ間を通過可能な幅に形成されている。即ち、開閉部材２は各板状部分１ｃ間に繋止部１ａの一端と他端との間を閉鎖可能に配置されるとともに、繋止部１ａの一端側の支軸２ｃを中心に各板状部分１ｃの間を通過して一回転以上できるようになっている。即ち、各板状部分１ｃ及び支軸２ｃによって支持機構が構成されている。また、基端部２ａ及び先端部２ｂは互いに支軸２ｄを介してその一部が重なり合うように連結され、互いにほぼ直線状をなす位置から図中時計回りへの回動が規制されるようになっている。即ち、基端部２ａ及び先端部２ｂ並びにその連結構造によって一方向可動機構が構成されている。
【００１２】
ロック部材３は繋止部１ａの他端側に配置され、その一端には開閉部材２の先端を係合可能な凹状の係合部３ａが設けられている。また、ロック部材３の他端側には操作部材４に連結するための長孔３ｂが設けられ、長孔３ｂはフック本体１の幅方向に一直線状に形成されている。
【００１３】
操作部材４はフック本体１の他端側に挿入された筒状の部材からなり、フック本体１の長手方向及び周方向にそれぞれ移動及び回動可能に設けられている。操作部材４の周面には略Ｌ字状の長孔４ａが設けられ、長孔４ａにはフック本体１側に固定されたピン４ｂが嵌入されている。また、操作部材４にはロック部材３の長孔３ｂに嵌入するピン４ｃが固定され、ロック部材３の他端側と操作部材４は互いにピン４ｃを介して周方向に移動自在に連結されている。即ち、操作部材４はピン４ｂをフック本体１の長手方向に延びる長孔４ａ内に位置させることにより、フック本体１の長手方向に移動可能になり、ピン４ｂをフック本体１の周方向に延びる長孔４ａ内に位置させると、フック本体１の長手方向への移動を規制されるようになっている。
【００１４】
以上のように構成された安全帯用フックを足場側の繋止部材Ａに繋止する場合は、図３に示すようにフック本体１の開閉部材２を繋止部材Ａに当接させることにより、開閉部材２の基端部２ａと先端部２ｂが支軸２ｄを中心に互いに回動し、先端部２ｂがロック部材３の係合部３ａから外れ、開閉部材２が支軸２ｃを中心に繋止部１ａの内側方向に回転する。これにより、繋止部材Ａがフック本体１の繋止部１ａ内に収容されるとともに、図４に示すように開閉部材２が繋止部１ａの一端側の各板状部分１ｃ間を通過して一回転する。その結果、開閉部材２の先端部２ｂが再びロック部材３の係合部３ａに係合し、繋止部１ａが開閉部材２によって閉鎖される。この場合、操作部材４は繋止部１ａ側に位置し、ロック部材３は開閉部材２に係合可能な位置に保持されている。
【００１５】
また、安全帯用フックを足場側の繋止部材Ａから取外す場合は、図５に示すように操作部材４をフック本体１の周方向に回動し、繋止部１ａの反対方向に移動させる。これにより、ロック部材３の係合部３ａが開閉部材２の先端部２ｂから外れ、開閉部材２を繋止部１ａの外側方向に回動することにより、繋止部１ａが開放されて繋止部材Ａから取外される。
【００１６】
このように、本実施形態の安全帯用フックによれば、フック本体１の繋止部１ａを閉鎖する開閉部材２を繋止部１ａの内側方向に一回転させて再び繋止部１ａを閉鎖するように構成したので、開閉部材２を繋止部材Ａに当接させるといった簡単な操作によって繋止部材Ａに繋止することができ、安全帯側と足場側との着脱作業を極めて容易に行うことができる。また、開閉部材２を各板状部分１ｃの間を通過させることにより、開閉部材２が一回転以上できるようにしたので、支持機構を簡単な構造によって構成することができる。更に、開閉部材２の基端部２ａと先端部２ｂとを互いに回動させることにより、ロック部材３と開閉部材２が互いに係合及び係合解除されることから、一方向可動機構を簡単な構造によって構成することができる。
【００１７】
尚、前記実施形態では、開閉部材２の基端部２ａ及び先端部２ｂ並びにその連結構造によって一方向可動機構を構成したものを示したが、他の一方向可動機構として、例えばバネ等の弾性部材によって突出方向に付勢された出没可能な部材等から構成することも可能である。
【００１８】
【発明の効果】
以上説明したように、請求項１の安全帯用フックによれば、開閉部材を繋止部材に当接させるといった簡単な操作によって繋止部材に繋止することができるので、安全帯側と足場側との着脱作業を極めて容易に行うことができ、特に足場を移動することの多い作業者には有効である。
【００１９】
また、請求項２の安全帯用フックによれば、請求項１の効果に加え、支持機構を簡単な構造によって構成することができるので、実用化に際して極めて有利である。
【００２０】
また、請求項３の安全帯用フックによれば、請求項１または２の効果に加え、一方向可動機構を簡単な構造によって構成することができるので、実用化に際して極めて有利である。
【図面の簡単な説明】
【図１】本発明の一実施形態を示す安全帯用フックの正面図
【図２】安全帯用フックの側面図
【図３】安全帯用フックの動作説明図
【図４】安全帯用フックの動作説明図
【図５】安全帯用フックの動作説明図
【符号の説明】
１…フック本体、１ａ…繋止部、２…開閉部材、３…ロック部材、４…操作部材、Ａ…繋止部材。
【図１】
0003833377.tif 000002
【図２】
0003833377.tif 000003
【図３】
0003833377.tif 000004
【図４】
0003833377.tif 000005
【図５】
0003833377.tif 000006